(57)【要約】      （修正有）【課題】健康上有害な水道水中のクロロホルムなどの残留物質を簡便に除去し、水質の改良を行う水道水水質改良キットを提供する。【解決手段】水道水に針葉樹粉砕炭または樹皮炭を投入した混合液１３を入れた容器１２と、漏斗状注入口を備え、前記容器から注入された混合液を受け入れる混合液注入手段と、混合液注入手段の下方にあって、ネル布フィルターによって形成された第１の濾過手段３と、第１の濾過手段の下方にあって、ネル布フィルターによって形成された第２の濾過手段７と、第２の濾過手段の下方にあって、ペーパーフィルターによって形成された第３の濾過手段１０と、第３の濾過手段のペーパーフィルターで濾過された改良水道水を受け入れる収容容器１１と、から構成されたことを特徴とする。【選択図】図１
0003152442.tif 000002
【実用新案登録請求の範囲】
【請求項１】
水道水中に残留するクロロホルムなどの残留物質を吸着除去する、針葉樹粉砕炭または樹皮炭を利用する水道水々質改良キットにおいて、
水道水に針葉樹粉砕炭または樹皮炭を投入した混合液を入れた容器と、
漏斗状注入口を備え、前記容器から注入された混合液を受け入れる混合液注入手段と、
前記混合液注入手段の下方にあって、ネル布フィルターによって形成された第１の濾過手段と、
第１の濾過手段の下方にあって、ネル布フィルターによって形成された第２の濾過手段と、
第２の濾過手段の下方にあって、ペーパーフィルターによって形成された第３の濾過手段と、
第３の濾過手段のペーパーフィルターで濾過された改良水道水を受け入れる収容容器と、
から構成されたことを特徴とする、水道水改良キット。
【考案の詳細な説明】
【技術分野】
【０００１】
本装置は水道水中のクロロホルムのように、低濃度で分子サイズの小さな分子を多く吸着する特性を持つ、針葉樹粉砕炭またはスギ樹皮炭を利用して、水道水の水質を改良するキットに関するものである。
【背景技術】
【０００２】
従来、浄水器などで吸着を目的として利用される炭は活性炭がほとんどで、針葉樹炭や樹皮炭の特性を上手く活用したそれらの装置が無い。
【先行技術文献】
【特許文献】
【０００３】
【特許文献１】特開２００４−３１７０９４号公報
【考案の開示】
【考案が解決しようとする課題】
【０００４】
水道水中の発がん物質トリハロメタンは、浄水工程中で原水に含まれているフミン質と消毒剤として用いられている塩素が反応して生成されるもので、クロロホルム、ブロモジクロロメタン、ジブロモクロロメタン、ブロモホルムの４種の化合物から構成され、特にクロロホルムの発がん性は広く知られている。
【０００５】
前記クロロホルムを、活性炭より吸着する特性を持つ針葉樹粉砕炭や樹皮炭は、現在のところゴルフ場における冬期融雪剤やグリーン改良剤、農地における土壌改良剤として利用されているだけで、その特性が十分活かされていない。
【０００６】
針葉樹炭の原料はスギやヒノキのような針葉樹材で、その90〜97％が仮導管という中空の繊維細胞で構成されている。このような針葉樹材を加熱炭化すると、広葉樹炭と異なり、この薄い側壁をもった仮導管によってほぼ構成され、単純で全体的に均一な構造をとる。
樹皮炭においても均一な樹皮繊維が絡み合った形状で炭化しており、この均一構造のため針葉樹炭や樹皮炭は機械的強度が弱く、粉末状になり易い。
【課題を解決するための手段】
【０００７】
針葉樹粉砕炭や樹皮炭が、水道水中のクロロホルムのように低濃度で分子サイズの小さな分子を多く吸着する特性、及びその吸着力が低温下で増す事は公知の事実である。この特性を利用するために水道水原水が入ったペットボトルに針葉樹粉砕炭または樹皮炭を直接適量投入し、クロロホルム吸着除去のため一晩(８時間位)冷蔵庫に保つ。
【０００８】
その後、針葉樹粉砕炭や樹皮炭の砕け易い構造上の性質により、炭と水道水の混合液に細かく混じりあった粉末炭を除去するために、考案したキットにて連続したネル布フィルター濾過及びペーパーフィルター濾過により、程良く冷えた透明な改良水を保温密閉容器に回収する。
なお粉末炭は古来より和薬や漢方薬で胃腸薬として用いられ、人体には無害であるが透明感を求める現代社会では邪魔物である。
【考案の効果】
【０００９】
炭を紙製や合成樹脂製の袋状パックに入れず、直接投入する事により、粉砕炭と水との接触が自由になり、吸着能力が十分発揮できる。さらに低温状態で一晩保つ事により吸着が促進される上に、炭の多孔に含まれる炭酸ガスが水に溶け込みpHが酸性に傾き、炭に含まれる多様なミネラル成分が溶け出し、美味しい水の隠し味として作用する。
【００１０】
粉末炭を含んだ混合液を、本キットでは粉末炭をキャッチし易い厚地のネル布フィルターで連続濾過し、仕上げに重ね合わせが可能なペーパーフィルターで油分を吸着濾過する操作により、透明な改良水を得られる。
【００１１】
ろ過された改良水は炭の吸着作用により、消毒用の塩素分が除かれた状態のため、密閉容器に回収して、変質を防ぐ事が出来る。
【図面の簡単な説明】
【００１２】
【図１】本考案の実施工程例を示す表示図である。
【考案を実施するための形態】
【００１３】
図１は本考案の針葉樹粉砕炭または樹皮炭を利用して、水道水中からクロロホルムなどの有機物質を吸着除去し、透明な改良水を密閉保温容器に回収する工程の表示図であり、以下のステップを含む。
(1)吸着工程
ペットボトル12に入れた混合液13を、上段漏斗１に注入するまでの吸着工程は、水道水原水を入れたペットボトル12に、針葉樹粉砕炭または樹皮炭を、袋状のパックに入れる事無く直接投入し、数回上下に振った後８時間位冷蔵庫に保つ。
(2)濾過工程
投入した炭を除去するために、冷蔵庫から出したペットボトル12の混合液13を上段漏斗１より注入し、まず上段脚４の上部に上段木蓋２により固定された上段ネル布フィルター３により濾過され、その濾液はさらに下段漏斗５より注ぎ、下段脚８上部に下段蓋６によって固定された下段ネル布フィルター７により濾過され、その濾液は密閉容器口漏斗９にセットされたペーパーフィルター10によって濾過される。
(3)回収工程
密閉容器口漏斗９より注ぎ込む透明な改良水は、温度変化と変質を防ぐためステンレス製の保温密閉容器11に回収され、濾過が終了しだい栓をする。
【実施例】
【００１４】
実施例について図１を元に説明する。
容量1.5リットルのペットボトル12に水道水原水約1.5リットルを入れ、顆粒状のスギ樹皮炭３gを漏斗を用いて投入し、数回上下に振って良く混ぜ、温度４℃の冷蔵庫に８時間ほど保つ。すると殆んどの顆粒状の炭は沈殿するが、表層に粉状の炭が浮き、中間に浮遊する粉状の炭が存在する状態となる。この混合液13を第１段階のネル布フィルター３、第２段階のネル布フィルター７を経て、ペーパーフィルター10で濾過し、保温密閉容器11で回収した。透明度を調べるために、回収後の改良水を透明なガラスコップに入れ、光にかざしてみたが固形物は全く見られなかった。試飲すると、冷温が保たれた改良水はカルキ臭が全く無く、喉越しの良いまさに甘露な水であった。
【符号の説明】
【００１５】
１.上段漏斗
２.上段木蓋
３.上段ネル布フィルター
４.上段脚
５.下段漏斗
６.下段木蓋
７.下段ネル布フィルター
８.下段脚
９.密閉容器口漏斗
10.ペーパーフィルター
11.保温密閉容器
12.ペットボトル
13.針葉樹粉砕炭または樹皮炭と水道水原水の混合液
【図１】
0003152442.tif 000003